(57)【要約】【課題】この発明は、大型鳥類を電撃により撃退することを目的としたものである。【解決手段】この発明は、絶縁体からなる芯棒に沿ってプラス側導電体及びマイナス側導電体を対向配置してなる掴み棒であって、支柱への取付具を備えたことを特徴とする鳥害防止装置により目的を達成した。前記構成にすることにより、大型鳥類の止り木としての役目を安定、確実に果し得ると共に、電線のように撓んだり、風にゆれるおそれはないので、安心して止まることができる。【選択図】図１
2006042829.tif 000002
【特許請求の範囲】
【請求項１】
絶縁体からなる芯棒に沿ってプラス側導電体及びマイナス側導電体を対向配置してなる掴み棒であって、支柱への取付具を備えたことを特徴とする鳥害防止装置。
【請求項２】
絶縁体からなる芯棒に沿ってプラス側導電体及びマイナス側導電体を対向配置してなる掴み棒を構成し、その両端に絶縁キャップを嵌着すると共に、前記掴み棒の中央部に支柱への取付具を連結したことを特徴とする鳥害防止装置。
【発明の詳細な説明】
【技術分野】
【０００１】
この発明は、大型鳥類（例えば烏、椋鳥）を電撃により撃退することを目的とした鳥害防止装置に関する。
【背景技術】
【０００２】
従来より雀、椋鳥、烏、鳩、ヒヨドリのような鳥類が水田、畑、果樹園に侵入し、農作物を食い荒らす鳥害を防御する目的で鳥獣防護用の電線に関する発明考案が提案されている。
【特許文献１】特開２０００−１０６８１１号公報
【特許文献２】実用新案登録第３０１２２０７号公報
【発明の開示】
【発明が解決しようとする課題】
【０００３】
前記従来の電線は、雀又は鳩などのような比較的小型の鳥について考えられており、大型の烏、椋鳥については適切な電線の提案がなかった。そこで大型の鳥について、前記雀等と同一の電線を使用すると、電線の撓みが大きくなる為に鳥が止まらず、又は止まる確率が小さくなって、大型鳥の撃退効率が不十分になり、又は撃退効率が著しく低下する問題点があった。
【０００４】
前記大型鳥が止まらなくなる理由は、電線の撓みが大きくなって止まりにくくなったり、電線が破断するおそれもあった。
【課題を解決するための手段】
【０００５】
然るにこの発明は、烏、椋鳥などの大型鳥が止まっても、十分の強度を有して、設置時の型体を保ち、かつ安心感のある掴み棒を支持させることにより前記従来の問題点を解決したのである。
【０００６】
即ちこの発明は、絶縁体からなる芯棒に沿ってプラス側導電体及びマイナス側導電体を対向配置してなる掴み棒であって、支柱への取付具を備えたことを特徴とする鳥害防止装置であり、絶縁体からなる芯棒に沿ってプラス側導電体及びマイナス側導電体を対向配置してなる掴み棒を構成し、その両端に絶縁キャップを嵌着すると共に、前記掴み棒の中央部に支柱への取付具を連結したことを特徴とする鳥害防止装置である。
【０００７】
この発明における芯棒は、大型鳥（例えば烏）が数匹一度に止まっても、撓むことなく、所期の目的を達成することができる。
【０００８】
また電線ではないので、撓むおそれなく、烏などが飛来した際に畑（又は田）に直立させてあるので、その高さを大型鳥の好む高さにすると共に、作物の最高位から更に若干高く保つことによって烏などの飛来効率を高め、結果的に撃退効率を向上させることができる。
【発明の効果】
【０００９】
この発明によれば、大型鳥が止まり易く、変形しにくいと共に、破断又は変形するおそれがなく、任意の場所に設置することができるので、設置が容易になる効果がある。
【発明を実施するための最良の形態】
【００１０】
この発明は、絶縁体からなる芯棒の長手方向に沿って、板状のプラス側導電体を平行に固定し、両端に、夫々絶縁キャップを嵌着する。前記芯棒に、スペーサーを介して取付具を固定し、この発明のＴ字形鳥害防止装置ができる。この発明の鳥害防止装置は、芯棒へ二本の導電体を所定間隔、かつ並行に設置するのであるが、前記二本の導電体は大型鳥に同時に掴まれる間隔でなければならない。同時に掴まれることによって、大型鳥の足に通電し、電撃を与えることになる。
【００１１】
前記電撃は、従来普通に使用されている高電圧、小電流であって、間欠的に通電するので、大型鳥類に危害を与えるおそれはないが、電撃による大きなショックは鳥類を確実に撃退し、再び近づかないようにさせることができる。
【００１２】
前記は鳥類の習性を利用したものである。即ち鳥類が地上に降りるには降りるべき地上付近の比較的高い止り木などに止まり、地上をよく観察してから地上に降り立つのである。従ってこの発明の装置を一定間隔毎（例えば２０ｍ〜４０ｍ）に設置しておけば、必ず止り木として止まるので、ここで電撃を与えて撃退することにより、作物の被害を未然に防止することができる。
【実施例１】
【００１３】
次に、鳥害防止装置の実施例について図１、図２を用いて説明する。この発明の鳥害防止装置３４は、掴み棒３５と取付具３６とによって構成されている。
【００１４】
掴み棒３５は、絶縁体からなる芯棒３７の長手方向に沿って、一側に板状のプラス側導電体３８が、他側に板状のマイナス側導電体３９がそれぞれリベット４２によって取り付けられて構成されている。リベット４２は、その先端が芯棒３７の内部で開くことによって、プラス側導電体３８、マイナス側導電体３９を芯棒３７に取り付ける。即ち、プラス側導電体３８を芯棒３７に取り付ける為のリベット４２の先端は、芯棒３７のマイナス側導電体３９側には突出しておらず、同様にマイナス側導電体３９を芯棒３７に取り付ける為のリベット４２の先端は、芯棒３７のプラス側導電体３８側には突出していない。このようにリベット４２の先端を他側へ突出させないのは、プラス側導電体３８とマイナス側導電体３９との絶縁状態を保ち、また、スパークを生じさせないためである。
【００１５】
プラス側導電体３８にはプラス端子４３が取り付けられ、マイナス側導電体３９にはマイナス端子４４が取り付けられている。このプラス端子４３、マイナス端子４４には、それぞれ高電圧を印加するリード線４５、４６が接続される。リード線の接続は、ちょう形ナット４７、４７を締め込むことよって行うので、リード線は器具を使用することなく容易に接続し、また、取り外すことができ、鳥害防止装置３４の設置労力の軽減を図っている。
【００１６】
芯棒３７の両端は、プラス側導電体３８の端部、マイナス側導電体の端部と共に、樹脂製キャップ４０ａ、４０ｂを嵌着してある。これにより、プラス側導電体３８の端部、マイナス側導電体３９の端部が、芯棒３７の端部から離れ、開いた状態にならないようになっている。また、鳥害防止装置３４には、数千ボルトの電圧が印加されるが、樹脂製キャップ４０ａ、４０ｂを嵌着することによって、プラス側導電体３８の端部とマイナス側導電体３９との間でのスパークの発生を防止することができる。さらに、端部が風雨に曝されることもない。
【００１７】
取付具３６は、金属パイプであり、掴み棒３５と取付具３６とは、絶縁体からなるスペーサ４１ａ、４１ｂを介し、Ｔ字形をなすようにほぼ直角に接合される。絶縁体からなるスペーサ４１ａ、４１ｂを介して接合するのは、取付具３６は、金属製であり、プラス側導電体３８、マイナス側導電体３９には高電圧が印加されることから、プラス側導電体３８、マイナス側導電体３９から取付具３６へスパークしないだけの間隔を確保するためである。
【００１８】
このように構成された鳥害防止装置３４は、図１に示すように支柱２７の上端部へ取付具３６を嵌装するだけで、簡単に取り付けることができるが、支柱２７へ確実に固定し、また、回転しないように取り付けるために、ビス４８、４８で支柱２７へ締め付け、固定している（図１）。
【図面の簡単な説明】
【００１９】
【図１】この発明の実施例の正面図。
【図２】同じく平面図。
【符号の説明】
【００２０】
３４  鳥害防止装置
３５  掴み棒
３６  取付具
３７  芯棒
３８  プラス側導電体
３９  マイナス側導電体
４０ａ、４０ｂ  樹脂製キャップ
【図１】
2006042829.tif 000003
【図２】
2006042829.tif 000004